(57)【要約】【課題】ＳＥＦ転写技術における第２電極の除電バイアス条件を決定することができる転写方法、転写装置及び画像形成装置を提供すること。【解決手段】トナー像を担持する感光体と、前記感光体に同じ速度で密着される中間転写ベルトと、を有し、転写ニップ内において前記中間転写ベルトの裏側にトナー極性と異なる極性のバイアスを与える第１電極と前記第１電極の下流側に転写ニップ内に配置されるトナー極性と同じ極性のバイアスを与える第２電極とを、前記中間転写ベルトと感光体との密着する転写ニップ幅よりも狭い間隔で配置させる転写方式において、一次転写通過後の中間転写ベルトの残留電荷量を除電装置より計測するモードを有し、前記モードの測定値を基に除電装置の出力するバイアスを決定することを特徴とする転写方法、転写装置及び画像形成装置を提供することができる。【選択図】図２
2007264152.tif 000002
【特許請求の範囲】
【請求項１】
トナー像を担持する感光体と、
前記感光体に同じ速度で密着する中間転写体と、
を有し、
転写ニップ内において前記中間転写体の裏側にトナー極性と逆極性のバイアスを与える第１電極と
前記第１電極の下流側に転写ニップ内に配置されるトナー極性と同極性のバイアスを与える第２電極とを、
前記中間転写体と感光体との密着する転写ニップ幅よりも狭い間隔で配置している
転写装置において、
前記転写装置は、前記第１電極で転写バイアスを印加した中間転写体を感光体と共に第２電極下に回動させた後、第２電極でバイアスＶexを印加し、
前記バイアスＶex印加直後の通電電流Ｉ１と定常状態移行後の安定時電流Ｉ２のデータを計測してＩ１とＩ２の差分を消失電流δＩとし、
前記消失電流δＩと印加電圧Ｖexとの関係を基に印加電圧Ｖexを除電バイアス電源に設定する
ことを特徴とする転写装置。
【請求項２】
請求項１に記載の転写装置において、
前記転写装置は、前記第１電極に転写バイアスを印加し、
中間転写体と感光体を回動させた後、あらかじめ設定したバイアスＶexを第２電極に印加し、
第２電極の消失電流δＩを計測する作業をバイアスＶex条件を複数変えて行って、消失電流δＩとの相関で記録し、
印加時突発電流δＩが飽和し始める場合、最小の印加電圧Ｖexをもって除電バイアスとして設定する
ことを特徴とする転写装置。
【請求項３】
請求項１の転写装置において、
前記転写装置は、前記第１電極にバイアスＶｔ１を印加し前記第２電極にバイアスＶex１をかけつつ電流値Ｉｗ１を計測するモードを有する
ことを特徴とする転写装置。
【請求項４】
請求項１又は３に記載の転写装置において、
前記転写装置は、前記第１電極バイアスをオフして前記第２電極にバイアスＶex２をかけつつ電流値Ｉｗ２を計測するモードを有する
ことを特徴とする転写装置。
【請求項５】
画像形成装置は、請求項１乃至４のいずれか一つに記載の転写装置を有することを特徴とする画像形成装置。
【請求項６】
転写方法は、請求項１乃至４のいずれか一つに記載の転写装置を使用する
ことを特徴とする転写方法。
【発明の詳細な説明】
【技術分野】
【０００１】
本発明は、担持体上に形成されたトナー像を記録紙等の転写体に転写する転写装置、画像形成装置及び転写方法に関するものである。特に、カラーアナログ／デジタルＰＰＣ，カラーレーザプリンタ等の画像形成装置に関する転写装置、画像形成装置及び転写方法に関するものである。
【背景技術】
【０００２】
従来から、中間転写方式の画像形成装置において、像担持体から中間転写体へのトナー像の中間転写の際に転写チリが発生し画像が乱れることが問題となっている。転写チリの発生原因は、主に転写領域にトナー像が入る以前に像担持体から中間転写体へ転写（以下、プレ転写という）されてしまうことによると考えられている。
プレ転写による転写チリの発生メカニズムは次のようなものである。静電転写方式では、転写ニップだけに転写電界を作用させることが極めて困難で、像担持体などの転写元と中間転写体などの転写先とが離間しているニップ前後にまでどうしても転写電界が及んでしまう。そして、このニップ前後で転写電界の影響を受けた画像形成剤（例えばトナー）が転写元から飛翔し、転写先の本来転写されるべき箇所とは異なる箇所に付着して転写チリとなってしまう。かかる転写チリが起こると、転写後のトナー像の周囲に黒点状の汚れが生じたり、トナー像のエッジを滲ませたりといった画像劣化を生ずることになる。
そして、プレ転写による画像劣化を防止するため、従来次のような提案がなされている。特許文献１では、静電転写手段の一次転写体進行方向上流側に二次転写体を像担持体とは反対側から像担持体に向けて押圧すると共に、トナーの極性とは反対の極性のバイアス電圧を印加する早期転写防止手段としての押圧部材を設けている。これによって、二次転写部の上流側で静電転写手段の転写電界を打ち消すことによってプレ転写が開始されるのを防止している。更に、押圧部材による押圧位置から二次転写部に至るまでの像担持体と二次転写体とを隙間なく接触させることによって、転写用電界によって転写が開始されるときには像担持体と二次転写体との間にずれがない状態にし、転写ずれを防止している。
【０００３】
また、特許文献２では、像担持体上の潜像を、潜像と同極性のトナーで現像する所謂ネガポジの画像形成システムの画像形成装置を次のように構成する。すなわち、転写ニップ部の上流側に像担持体の帯電極性と同極性の電位あるいはゼロ電位となる導電性部材を転写体裏面に接触させて設ける。この発明によれば、作像に使用されているトナーと同極性のバイアスを転写体に印加し、転写ニップ上流側では転写体にトナーを積極的に引きつける力を生じにくくすることによって、転写チリを防止している。
ところが、上記特許文献１、特許文献２の画像形成装置についても、次のような問題が残っている。一般の像担持体においてトナーが付着している画像部電位はゼロではなくいくらかの残留電位があり、その電位極性はネガポジの画像形成システムにおいては上記像担持体帯電極性と同極性である。従って、上記特許文献１における押圧部材や上記特許文献２における導電性部材の電位が残留電位に比して絶対値が低い場合、或いはゼロの場合などにおいては、プレ転写による転写チリが生じる虞が残っている。このことから、像担持体上のトナーが付着している画像部電位がゼロではなく、いくらかの残留電位がある場合でも、プレ転写による画像チリが生じないようにすることが望まれている。
また、転写部においてトナーと逆極性にバイアスを印加されると、表面側に像担持体の電位が、裏面側にバイアス電位がかかるが、これは中間転写体の抵抗が高い時は剥離放電を引き起こす。この放電はさらに別の画像チリを生じさせる。よって、下流側でも剥離が始まる前に不要な残留電荷を消失させることが必要になる。
【０００４】
そこで、転写ニップ内部にて、トナーと逆極性バイアスを与えてトナーを転移させる工程と、前記ニップ内上流側と、前記ニップ内下流でトナーと同極性バイアスを与えて除電を行う転写システム（ＳＥＦ転写方式）が、開発されている。
一般に中間転写ベルトの材質の抵抗特性は、電界依存性を持ちやすく、この両者に同時に対処することが必要となる。ＳＥＦ方式においては、上流側における除電は、ベルト抵抗が低い場合の「電荷の漏れ」に対処するものとなり、下流側における除電は、ベルト抵抗が低い場合の「電荷の漏れ」とベルト抵抗の高い場合の「ベルトを介した電荷の運搬」に対処し、剥離時のギャップ拡大時の放電を防止することができるようになる。特に近年は、画像劣化防止の視点から高抵抗化の方向が上げられている。従って、下流側の対処がむしろ重要になりつつある。
しかしながら、下流側に運搬された電荷量を適切に消失させるためには、除電バイアスを適正に決めて、残留電荷を生じさせる「転写電流」と、系における「電荷残留特性」について実系の反応に応じての制御が必要となる。例えば、除電バイアスの適正値を決定するに当り、ベルトの抵抗・静電容量（電圧依存性も含む）や転写バイアスにより、残留電荷量が変動する。また、出口でのＯＰＣ電位により、出口剥離放電開始電位が、電極とベルトとの接触抵抗またはギャップ抵抗により、除電作用そのものが影響を受ける。また、転写バイアスは実質転写電界を規定するために、一定電流を主電極下に通ずることが必要であり、定電流制御を採用することが多い。このため、上記ベルト抵抗・静電容量の変動でリアルタイムに変化してしまう。なお、最も単純な残留電荷量の測定方法としては、ベルト裏面に対向させた振動容量型非接触表面電位計などにより電位を測定する方法があるが、タンデム中間転写方式の画像形成装置では一次転写部位が４箇所あるため、ベルト下流裏面に４台のプローブが必要となり、全く非現実的である。
以上により、ＳＥＦ転写方式において除電バイアスを適切に設定する必要があった。
【０００５】
【特許文献１】特開平８−１６６７２８号公報
【特許文献２】特開平１０−１８６８７８号公報
【発明の開示】
【発明が解決しようとする課題】
【０００６】
そこで、本発明は前記問題点に鑑みてなされたものであり、その課題は、ＳＥＦ転写技術における第２電極の除電バイアス条件を決定することができる転写装置、画像形成装置及び転写方法を提供することである。ここで、第２電極とは、ニップ内部出口寄り電極である。
【課題を解決するための手段】
【０００７】
前記課題を解決する手段である本発明の特徴を以下に挙げる。
本発明は、トナー像を担持する感光体と、前記感光体に同じ速度で密着する中間転写体と、を有し、転写ニップ内において前記中間転写体の裏側にトナー極性と逆極性のバイアスを与える第１電極と前記第１電極の下流側に転写ニップ内に配置されるトナー極性と同極性のバイアスを与える第２電極とを、前記中間転写体と感光体との密着する転写ニップ幅よりも狭い間隔で配置している転写装置において、前記第１電極で転写バイアスを印加した中間転写体を感光体と共に第２電極下に回動させた後、第２電極でバイアスＶexを印加し、前記バイアスＶex印加直後の通電電流Ｉ１と定常状態移行後の安定時電流Ｉ２のデータを計測してＩ１とＩ２の差分を消失電流δＩとし、前記消失電流δＩと印加電圧Ｖexとの関係を基に印加電圧Ｖexを除電バイアス電源に設定することを特徴とする転写装置である。
本発明は、前記第１電極に転写バイアスを印加し、中間転写体と感光体を回動させた後、あらかじめ設定したバイアスＶexを第２電極に印加し、第２電極の消失電流δＩを計測する作業をバイアスＶex条件を複数変えて行って、消失電流δＩとの相関で記録し、印加時突発電流δＩが飽和し始める場合、最小の印加電圧Ｖexをもって除電バイアスとして設定することを特徴とする。
本発明は、前記第１電極にバイアスＶｔ１を印加し前記第２電極にバイアスＶex１をかけつつ電流値Ｉｗ１を計測するモードを有することを特徴とする。
本発明は、前記第１電極バイアスをオフして前記第２電極にバイアスＶex２をかけつつ電流値Ｉｗ２を計測するモードを有することを特徴とする。
本発明は、前記記載の転写装置を有することを特徴とする画像形成装置である。
本発明は、前記記載の転写装置を使用することを特徴とする転写方法である。
【発明の効果】
【０００８】
本発明は、前記解決するための手段によって、ＳＥＦ転写技術における第２電極の除電バイアス条件を決定することができる転写装置、画像形成装置及び転写方法を提供することが可能となった。
【発明を実施するための最良の形態】
【０００９】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【００１０】
以下、本発明の実施形態例を図面に従って詳細に説明する。
図１は、画像形成装置の一例を示す概略図であり、ここに示した画像形成装置は、４本のドラム状の感光体より成る像担持体３Ｙ，３Ｃ，３Ｍ，３ＢＫを有し、その各像担持体の周面には、イエロートナー像、シアントナー像、マゼンタトナー像及びブラックトナー像がそれぞれ形成される。かかる像担持体３Ｙ乃至３ＢＫに対向して無端ベルトより成る中間転写ベルト４が設けられている。この中間転写ベルト４は、支持ローラ５、６、７に巻き掛けられて、像担持体３Ｙ乃至３ＢＫの表面に接触しながら、矢印Ａ方向に走行駆動され、各像担持体３Ｙ乃至３ＢＫ上のトナー像が中間転写ベルト４上に重ねて一次転写される。
【００１１】
各像担持体３Ｙ乃至３ＢＫにトナー像を形成する構成と、そのトナー像を中間転写ベルト４に転写する構成は全て同一であるので、像担持体３Ｙにトナー像を形成し、これを中間転写ベルト４に転写する構成だけを説明する。この像担持体３Ｙは図１における反時計方向に回転駆動され、このとき帯電ローラ９によって像担持体３Ｙが所定の極性に帯電される。ここでは、この帯電極性がマイナス極性である。次いで、像担持体３Ｙの帯電面に露光装置１０から出射する光変調された書き込み光Ｌ（図の例ではレーザ光）が照射され、これによって像担持体に静電潜像が形成され、その静電潜像が反転現像方式の現像装置１１によってイエロートナー像として可視像化される。図示した現像装置１１は、現像バイアスの印加された現像ローラ８を有し、この現像ローラ８に担持された乾式現像剤によって、静電潜像がトナー像として可視像化される。乾式現像剤としては、トナーとキャリアを有する二成分系現像剤、又はキャリアを有さない一成分系現像剤が用いられ、いずれの場合もそのトナーが正規の帯電極性（図の例ではマイナス極性）に帯電されており、かかるトナーが像担持体３Ｙに形成された静電潜像に静電的に移行して、その静電潜像が可視像化される。
【００１２】
ここで、本発明を実施する構成要素を説明する。像担持体としては、感光体３である。被帯電体である中間転写ベルト４は、ポリイミド単層ベルトで、カーボンブラック分散し、厚みは５０〜１００μｍである。また、体積抵抗は表面抵抗より電圧依存性が大きく高い。電極は、被帯電体に接触して残留電荷を除去する部材で、ここではブレードまたはローラによる。計測手段は、バイアスにより中和される残留電荷量を計測する計測器を使用。制御装置と入出力装置は、計測結果によりバイアスが最適化されたか判定し、判断結果を受けて、除電バイアスを最適値に変更する。バイアス電源は、ここでは、転写電源と除電バイアス電源はプログラマブルである。
【００１３】
ここで、本例の画像形成装置には、図１及び図２に示した下流側除電ブレード２４が設けられている。この下流側除電ブレード２４は、転写ブレード１３が中間転写ベルト４に当接した位置よりも中間転写ベルト４移動方向下流側であって、上述の最下流側位置よりも中間転写ベルト４移動方向上流側の中間転写ベルト４の裏面部分に当接している。しかも、この下流側除電ブレード２４には、トナーの正規の帯電極性と同極性（図の例ではマイナス極性）の電圧が電源２５によって印加されている。中間転写ベルト４が像担持体３Ｙの表面に接触した接触領域Ｎの最下流側位置と、下流側除電ブレード２４が中間転写ベルト４の裏面に当接した位置との間に、或る距離Ｄ３があけられているのである。
【００１４】
図２に転写部の構成を説明する。上流側ローラ２６は、ニップ形成のための巻付付勢ローラであり、トナーの（−）極性と同極性（−）バイアスが電源２７により印加される。転写ブレード１３は、トナーの（−）極性と逆極性（＋）バイアスが電源２３により印加される。下流側ブレード２４はトナーの（−）極性と同極性（−）バイアスが電源２５により印加される。それぞれのローラ・ブレードのベルト裏への当接位置は、Ｄ１、Ｄ２、Ｄ３で示される。Ｄ１、Ｄ２はここでは機械的なニップＮの最上流端からの距離となり、Ｄ３は機械的ニップＮの最下流端からの距離である。これは、２本の近接電極配置を示した。入口におけるチリ削減効果は多少減るが、コストパフォーマンスが良い。
ブレード１３、２４はウレタンゴムに、ＬｉやＮａのイオン剤を入れて成型したり、カーボンブラックを入れて成型される。その印加電圧はブレード１３が＋５００〜＋２０００Ｖ、ブレード２４は例えば−２００〜−１０００Ｖ程度である。
【００１５】
支持体２８は絶縁性材質で形成され、ベース４２に２つのスプリング４０、４１で懸架される。また、図のように溝を持ち、ブレード１３、２４と絶縁材６０をセットされる。溝の向きはブレード１３、２４のめくれや折れ防止のため上流側から下流側に流れるトレーディング状態となる。絶縁材６０は絶縁性を高めるもので、薄厚ＰＥＴフィルムなどが使われる。
ブレードとバイアス電源端子との導電性の改善するため、ブレード１３、２４と一緒に、導電性両面テープや導電性布等による導電係合部材５０、５１をはめ込み、通電端７０、７１に係合させる。粘着力で導電性部材と電源端が１箇所であるが、ブレード１３、２４へは３方面より導通しつつブレード１３、２４を固定させる。こうすると、バイアス端子からブレード１３、２４への導通も問題なく行われる。
なお、各電源については、図３に示すような電源モジュール（プログラマブル）電源が良い。これらは、通過電流による電流値を抵抗にてＩ−Ｖ換算して、入出力装置を経て制御装置に入力することができる。また、その結果に基づき、電流または電圧を微調節できる。
【００１６】
図４乃至図７に、中間転写ベルト４裏面に残る残留電荷現象について説明する。
まず、図４にて、まず簡易な測定系を上げて説明する。１００、１０１は、極性の異なる電源である。２つのＳＷ１（１０２）、ＳＷ２（１０３）は極性に使用し、両者ＯＮの状態は取らないものとする。プローブ１０５は、一次転写ローラまたはブレードを模したものであり、図示されていない機構により上下に動かすことができる。これは中間転写ベルト４への接触・離間を真似る。なお、プローブ１０５の被覆は中抵抗領域としてある。
被験体１０８はここでは中間転写ベルト素材であり、ＧＮＤ板１０９上に置かれ、表面電位を導電層１０６で引き出し、金属片１０７に接続してＥＳＶ１１１とプローブ１１０で測定する。なお、ＥＳＶ１１１は静電容量型表面電位計であり、例えばＴＲＥＫ社のｍｏｄｅｌ３４４などが可能である。電流計１０４はμＡオーダレベルが高速に測定できる必要がある。この系はプローブ１０５が中間転写ベルト４から離れる時に放電が発生する。
【００１７】
続いて図５を説明する。図５の上左側では電極が中間転写ベルト４に接触し、この時には中間転写ベルト４は電界依存性により低抵抗化しており、多量の動電荷がある状態となる。ここで、電極を徐々に離すと被験体の通過電界が低下するため、高抵抗化する。また、この時の中間転写ベルト４の表面電位は材質抵抗と材質静電容量による電位減衰を行うが、このため、電極電位との間に差が生じ、離れにより、パッシェン則による気中絶縁破壊が生じて放電し、中間転写ベルト４表面に電荷がシフトする。これが中間転写ベルト４裏側に残留する残電荷となる。この残電荷作成工程は、中間転写ベルト４の静電容量と抵抗または初期帯電量、さらには電極の移動速度などにより決定される。
続いて、電極が接触して逆バイアスが印加されると、残留電荷は逆バイアス電源側に流れ込む。これが残留電荷を中和させる消失電流δＩとなる。また、一方でバイアス印加により一般的な定常電流Ｉ２とする。Ｉ２のレベルはδＩよりも大きい。従って、ここでは２つの差δＩを精度よく測定することが必要である。
【００１８】
図６は、前記ＥＳＶ１１１と電流Ｉのグラフである。ＳＷ１をＯＮさせプローブを離れさせると同時にバイアスをＯＦＦにする。ＥＳＶ測定電位（Ｖ）は自己減衰を示し、また電流計の出力はＯＦＦと同時に回路で無くなるため電流は計測されない。ただし、実際は浮遊容量による放電分があるが、これは小さいのでノイズと見える。続いてプローブを接触させて、ＳＷ２をＯＮして逆バイアスを印加する。この時、裏面にある残留電荷はプローブに流れ、裏面の残留電荷量を観測できる。定常電流Ｉ２との差は時間を置くことにより区別される。
【００１９】
図７は、除電電圧Ｖ２と消失電流δＩをプロットしたもので、必要なバイアスに近いかどうかでも判定できるし、また電圧Ｖ２が高くなっても除電電流が元の残存電荷量を減らすバイアスとなる。これ以上のバイアスを与えても除電は行われないので、このバイアスを与えても良い。前者の方法では、予め必要な消失電流値を機械に記憶させておく必要があるが、実機内での実行は簡単である。また、後者では実機内での実行は時間がかかるが、高精度となる。
【００２０】
以上のように、転写バイアスが印加される時に、中間転写ベルト４に残留電荷分を吸収し、これの量を測定するモードをもち、この測定値を基に転写バイアスを印加する除電バイアスの設定方式を発明した。この方法により、ＳＥＦ転写方式での除電バイアスは最適化が可能となる。
本発明によれば、第２電極に与えるバイアスによるベルト裏面除電がどの程度行われるかを評価することができ、この評価により算出されたベルト裏面の残留電荷量を基に、除電バイアスを決定し、中間転写ベルト４が感光体３と剥離する時の放電を減らすことができ、結果として画像を改善できる。
【００２１】
実機内での使用を考慮した、シーケンス図を図８と図９に示す。
図８では、１回の測定で、除電バイアス値と除電電流値を得ることができる。まず構成要素を上げると、［モータ］は中転ベルトと感光体３を駆動するものである。［主転写電極バイアス］は一般の転写トナーを転移させるバイアスであり、ここでは（−）トナーを引いてくるため、（＋）バイアスとなっている。［除電電極バイアス］を低電圧で−２００〜−１０００Ｖのうち、１つの設定値を印加する。
【００２２】
残留電荷量を１回測定するシーケンスを下記に示す。
１．  除電電極の印加電圧を所定の値に決定する。
２．  モータを動かしつつ、主転写電極バイアスＶｔを印加する。
３．  Ｖｔオフ後、モータを停止。
４．  停止と同時に除電電圧Ｖexを印加開始。
５．  印加開始直後の測定電流をＩstartとする。所定時間を経た再度測定をＩendとする。
６．  内部演算により、δＩ＝Ｉend−Ｉstartとして、消失電流δＩとする。
７．  予め機内にソフト的に用意されているＶex−δＩの表と設定値δＩと比較し、ズレを判定し、これによりＶexを微調整させる。
【００２３】
本発明は、中間転写ベルト４への残留状態を発生させた後に除電電極下で回転を止め、かつ転写バイアスをかけた時の瞬間突発電流と安定時電流との差を見ることにより、残留電荷の瞬間的な消失電流を測定する。これは上記構成で容易となる。また、ＣＰＵなどの高速な記録装置と判定装置により早いパルス計測技術を使える。
以上により、除電電流を任意の値Ｉexにできるシーケンスと除電バイアスＶexを用意すれば、動作時の各中間転写ベルト４裏面の電荷を適当に消失させることができる。これにより、画質を改善することができる。
【００２４】
前記の場合と異なり、除電バイアス値−電流値が不明であるか、新しい部品などに交換した時などのためには、複数回の操作により正しい判定値を得ることができる（図９参照）。残留電荷量を１回測定するシーケンスを下記に示す。
１．  除電電極の印加電圧を所定の値に仮決定する。
２．  モータを動かしつつ、主転写電極バイアスＶｔを印加する。
３．  Ｖｔオフ後、モータを停止。
４．  停止と同時に除電電圧を印加開始。
５．  印加開始直後の測定電流をＩstartとする。所定時間を経た再度測定Ｉendとする。
６．  内部演算により、δＩ＝Ｉend−Ｉstartとして、消失電流δＩとする。
７．  ソフト的に用意されたＶex−δＩの表と比較し、δＩが正しいＩになるように、Ｖexを変化させる。
【００２５】
中間転写ベルト４と感光体３をｎ回止めて除電バイアスを数通り振って除電性能を評価することにより、精度の高い制御を行うことができる。図９では除電バイアスＶを３段階振った例を示す。夫々の消失電荷量を計測し、グラフ化したのが図７である。
除電バイアスの３通りの設定について、それと相関する消失電流δＩが定まる。適当な範囲で評価することにより、除電バイアスが上がっても消失電流が増えないようなＶexが分かる。このＶexが、正しい除電バイアスとなる。
以上により、除電バイアスＶexを複数条件変えて、除電電流値ＩexのＶ−Ｉ特性を求め、これによりＶｔと損失電流δＩのデータ列が複数条件確保できる。同グラフより、Ｖｔを上げても損失電流δＩが初期ほど増えなくなる時の電圧Ｖexで、最小のＶexが放電も無く、また余剰な電圧上昇も無く除電電流計測ノイズとなる電極間漏洩量を測定できるシーケンスを用意すれば、動作時の各中間転写ベルト４の裏面の電荷を適当に消失させることができる。これにより、画質を改善することができる。
【００２６】
非画像形成時に、いろいろなノイズを測定しておくことも必要である。これにより測定の精度を高めることができる。図１０では、非画像形成時に除電バイアスの大小・効果を記録し、
（１）主電極から除電電極までのリーク危険性のチェック
（２）除電電極自体のリーク危険性のチェック
（３）主電極から除電電極への小さい漏れの発生のチェック
を記録しておき、これらをノイズとして機械の調整を行うことにしている。
ここでは機械の作像開始直前の動き出し直後にウォーミングアップ時にリークが発生していないか確認するモードを載せている。上記の寄生容量や絶縁・リークの影響を排除するためには、Ｖｔ１を印加しない時（中間転写ベルト４内に残留電荷が発生しない時）と、Ｖｔ１を印加する時で、Ｖex−Ｉex特性を測定し、その差分を取ればよい。Ｖｔ１を印加したままで、除電をＯＮすると転写電極に大きな寄生容量が生じる。また、Ｖｔ１を印加しなければ、この寄生容量は減る。予めこのようなデータを測定しておき、適正となるＶexを確認しておけば、条件が変わった時などでも、必要な除電電流などを予測することができる。
【図面の簡単な説明】
【００２７】
【図１】画像形成装置の一例を示す概略図である。
【図２】転写装置の構成を示した図である。
【図３】電源モジュール（プログラマブル）電源を示す図である。
【図４】簡易な測定系での残留電荷現象を示す図である。
【図５】中間転写ベルト裏面に残る残留電荷現象を示す図である。
【図６】ＥＳＶと電流Ｉのグラフである。
【図７】除電電圧Ｖ２と消失電流δＩをプロットした図である。
【図８】本発明のシーケンス図である。
【図９】本発明のシーケンス図である。
【図１０】本発明のシーケンス図である。
【符号の説明】
【００２８】
３Ｙ，３Ｃ，３Ｍ，３ＢＫ  像担持体（感光体）
４  中間転写ベルト
５  支持ローラ
６  支持ローラ
７  支持ローラ
８  現像ローラ
９  帯電ローラ
１０  露光装置
１１  現像装置
１３  転写ブレード
２３  電源
２４  下流側除電ブレード
２５  電源
２６  上流側ローラ
２７  電源
２８  支持体
４０  スプリング
４１  スプリング
４２  ベース
５０  導電係合部材
５１  導電係合部材
６０  絶縁材
７０  通電端
７１  通電端
１００  電源
１０１  電源
１０２  ＳＷ１
１０３  ＳＷ２
１０４  電流計
１０５  プローブ
１０６  導電層
１０７  金属片
１０８  被験体
１０９  ＧＮＤ板
１１０  プローブ
１１１  ＥＳＶ
Ｌ  書き込み光
【図１】
2007264152.tif 000003
【図２】
2007264152.tif 000004
【図３】
2007264152.tif 000005
【図４】
2007264152.tif 000006
【図５】
2007264152.tif 000007
【図６】
2007264152.tif 000008
【図７】
2007264152.tif 000009
【図８】
2007264152.tif 000010
【図９】
2007264152.tif 000011
【図１０】
2007264152.tif 000012